(57)【要約】【課題】カードの抜き忘れを可及的に防止できる遊技媒体貸出装置におけるカード忘れ防止システムを提供する。【解決手段】構金額に応じた価値度数が記録された遊技媒体借受用のカードを受付けるためのカード挿入口と、このカード挿入口に挿入された前記カードに記録された価値度数を上限として、所定の単位度数毎に遊技に用いられる遊技媒体を供給する制御を実行する貸出制御手段と、を備えた遊技機に隣接配置される遊技媒体貸出装置と、前記貸出制御手段と電気的に接続され、前記遊技機で遊技する遊技者の存在を検出する遊技者検出手段と、を備え、前記貸出制御手段は、前記遊技者検出手段による遊技者の検出がない場合、受付中のカードを前記カード挿入口若しくは別途設けられた排出口から強制的に排出する制御を実行する構成とした。【選択図】図５
2008080013.tif 000002
【特許請求の範囲】
【請求項１】
金額に応じた価値度数が記録された遊技媒体借受用のカードを受付けるためのカード挿入口と、
このカード挿入口に挿入された前記カードに記録された価値度数を上限として、所定の単位度数毎に遊技に用いられる遊技媒体を供給する制御を実行する貸出制御手段と、
を備えた遊技機に隣接配置される遊技媒体貸出装置と、
前記貸出制御手段と電気的に接続され、前記遊技機で遊技する遊技者の存在を検出する遊技者検出手段と、
を備え、
前記貸出制御手段は、
前記遊技者検出手段による遊技者の検出がない場合、受付中のカードを前記カード挿入口若しくは別途設けられた排出口から強制的に排出する制御を実行することを特徴とする遊技媒体貸出装置におけるカード忘れ防止システム。
【請求項２】
前記貸出制御手段に電気的に接続され、視覚的及び／又は聴覚的に所定の情報を報知する報知手段を別途備え、
前記貸出制御手段は、
前記カードを強制排出すると同時に、前記報知手段からカードの存在情報を報知する制御を実行することを特徴とする請求項１記載の遊技媒体貸出装置におけるカード忘れ防止システム。
【請求項３】
前記遊技者検出手段は、前記遊技機に付設した座席に設けた重量センサであることを特徴とする請求項１又は２に記載の遊技媒体貸出装置におけるカード忘れ防止システム。
【発明の詳細な説明】
【技術分野】
【０００１】
本発明は、遊技媒体貸出装置におけるカード忘れ防止システムに関し、詳しくは、パチンコ機で用いられる遊技球や、パチスロ機などで用いられるコインのような遊技媒体を貸出すための遊技媒体貸出装置において、遊技者が遊技媒体を借り受ける際に必要となる例えばプリペイドカード等のカードを遊技媒体貸出装置に投入したままの状態にして、当該カードを抜き忘れることがないようにするためのシステムに関するものである。
【背景技術】
【０００２】
従来、パチンコ店等の遊技場には、遊技球やコイン等の遊技媒体を貸し出すための遊技媒体貸出装置が、パチンコ機やパチスロ機などの遊技機の間に設置されている。
【０００３】
遊技者は、あらかじめ準備した例えばプリペイドカード等の遊技媒体借受用カードを前記遊技媒体貸出装置に投入し、前記遊技媒体借受用カードに記録された金額等の範囲内で遊技媒体を借り受けることができるようになっている。その際、遊技者は、前記遊技媒体借受用カードに記録された金額等の全部を使い切ることなく、残高を残した状態とすることもできる。
【０００４】
しかし、遊技を終了してパチンコ店を退出する等の際に、前記残高が残ったカードを遊技媒体貸出装置に投入したまま抜き忘れて退出する遊技者もいて、前記抜き忘れたカードの残高分を他人の遊技球の借受けに利用されてしまうというおそれがあった。
【０００５】
そこで、遊技者に所定個数の遊技球を払出す毎に暗証番号を入力させることで、抜き忘れたカードの残高を他人が使うことに制限を加える方式が提案されている（例えば、特許文献１を参照）。
【０００６】
また、例えばパチンコ機で特別遊技（大当たり）等が発生した場合、その特別遊技を発生させた遊技者が継続遊技権を有するか否かを判断し、その遊技者が継続遊技権をそもそも有しない場合、及び、継続遊技権を有するがそれを行使しない場合には、カードリーダからカードを強制的に排出する遊技機制御システムが提案されている（例えば、特許文献２を参照）。
【特許文献１】特開平９−２２５１２８号公報
【特許文献２】特開平１０−２６３１８６号公報
【発明の開示】
【発明が解決しようとする課題】
【０００７】
しかし、特許文献１によれば、遊技者は所要数の遊技媒体を借り受ける毎に暗証番号を入力することが必要になるため、遊技媒体の借受けが煩雑である。また、抜き忘れたカードを他人が廃棄した場合には前記カードはもはや当該遊技者に戻ってこなくなるおそれがある。
【０００８】
また、特許文献２によれば、カードリーダからカードを強制的に排出するのは、例えばパチンコ機で特別遊技が発生した場合等に限られるので、遊技を途中で止めてパチンコ店から退出する場合等における、カードの抜き忘れの防止策にはならない。
【０００９】
本発明は、上記従来の問題に鑑みてなされたものであり、その目的は、遊技機媒体貸出装置に投入したカードの抜き忘れを可及的に防止可能な遊技媒体貸出装置におけるカード忘れ防止システムを提供することにある。
【課題を解決するための手段】
【００１０】
請求項１記載の発明は、金額に応じた価値度数が記録された遊技媒体借受用のカードを受付けるためのカード挿入口と、このカード挿入口に挿入された前記カードに記録された価値度数を上限として、所定の単位度数毎に遊技に用いられる遊技媒体を供給する制御を実行する貸出制御手段とを備えた遊技機に隣接配置される遊技媒体貸出装置と、前記貸出制御手段と電気的に接続され、前記遊技機で遊技する遊技者の存在を検出する遊技者検出手段とを備え、前記貸出制御手段は、前記遊技者検出手段による遊技者の検出がない場合、受付中のカードを前記カード挿入口若しくは別途設けられた排出口から強制的に排出する制御を実行するカード忘れ防止システムとしている。
【００１１】
請求項２記載の発明は、請求項１記載の遊技媒体貸出装置におけるカード忘れ防止システムにおいて、前記貸出制御手段に電気的に接続され、視覚的及び／又は聴覚的に所定の情報を報知する報知手段を別途備え、前記貸出制御手段は、前記カードを強制排出すると同時に、前記報知手段からカードの存在情報を報知する制御を実行することを特徴とする。
【００１２】
請求項３記載の発明は、請求項１又は２に記載の遊技媒体貸出装置におけるカード忘れ防止システムにおいて、前記遊技者検出手段は、前記遊技機に付設した座席に設けた重量センサであることを特徴とする。
【発明の効果】
【００１３】
本発明によれば、遊技機媒体貸出装置に投入したカードの抜き忘れを可及的に防止できる。
【発明を実施するための最良の形態】
【００１４】
本実施形態に係る遊技媒体貸出装置におけるカード忘れ防止システムは、金額に応じた価値度数が記録された遊技媒体借受用のカードを受付けるためのカード挿入口と、このカード挿入口に挿入された前記カードに記録された価値度数を上限として、所定の単位度数毎に遊技に用いられる遊技媒体を供給する制御を実行する貸出制御手段とを備えた遊技機に隣接配置される遊技媒体貸出装置と、前記貸出制御手段と電気的に接続され、前記遊技機で遊技する遊技者の存在を検出する遊技者検出手段とを備え、前記貸出制御手段は、前記遊技者検出手段による遊技者の検出がない場合、受付中のカードを前記カード挿入口若しくは別途設けられた排出口から強制的に排出する制御を実行するものである。
【００１５】
前記遊技媒体貸出装置は、金額に応じた価値度数が記録された、例えばプリペイドカード等の遊技媒体借受用のカードを受け付けて、前記カードに記録された金額等を上限として遊技球やメダルなどの遊技に必要な遊技媒体の貸し出しを行うものであり、遊技場に複数設置された遊技機の間に前記遊技機に隣接して配置されている。
【００１６】
遊技機としては、その種類を特に限定するものではないが、例えば、発射ハンドルの操作により遊技媒体である遊技球を発射させ、遊技盤に設けられた入賞口へ入賞させることを目的として遊技を行うパチンコ機として説明すると、遊技場の客、すなわち遊技者は、例えば前記パチンコ機の前側に付設した座席に座った状態で発射ハンドルを操作して遊技を行うとともに、座ったままの状態で前記遊技媒体貸出装置に遊技媒体借受用のカードを投入して所定の操作を行うことで、所定数量の遊技球の貸し出しを受けることができる。また、遊技を終了させてパチンコ店から退出する場合などの必要に応じ、前記遊技媒体貸出装置に投入したカードを取り出すことができる。
【００１７】
ここで、「度数」とは、プリペイドカード等の遊技媒体借受用カードが持つ貨幣価値を数える際に用いられる単位を意味する。また、「価値度数」は、前記遊技媒体借受用カードが持つ貨幣価値を前記度数に置き換えた数値を意味する。例えば、１００円を単位としてカードが持つ貨幣価値を数える場合、１０，０００円の貨幣価値を有するカードの価値度数は１００度数になるし、前記カードを使用して、例えば５，０００円分を消費した後は、そのカードの価値度数は５０度数に下がることになる。
【００１８】
すなわち、本実施形態に係る遊技媒体貸出装置におけるカード忘れ防止システムは、遊技者が遊技を終了させてパチンコ店を退出する等の場合に、前記遊技媒体貸出装置に投入したカードを、当該遊技媒体貸出装置から抜くことを忘れないようにするためのものである。
【００１９】
したがって、本実施形態に係る遊技媒体貸出装置におけるカード忘れ防止システムよれば、遊技者検出手段を介して遊技者の存在を検出し、遊技者を検出しない場合、前記投入したカードを前記遊技媒体貸出装置から強制的に排出するため、例えば遊技者が遊技を終了させてパチンコ機から離れようとする際に前記カードを前記遊技媒体貸出装置から強制的に排出させれば、遊技者はその排出されたカードに容易に気づくことができ、前記カードの抜き忘れを防止できる。
【００２０】
なお、本実施形態において、貸出制御手段は、前記遊技媒体貸出装置に設けられた後述するコントローラにその機能を負担させることができる。
【００２１】
また、本実施形態に係る遊技媒体貸出装置におけるカード忘れ防止システムよれば、前記貸出制御手段に電気的に接続され、視覚的及び／又は聴覚的に所定の情報を報知する報知手段を別途備えた構成とすることができる。
【００２２】
すなわち、前記貸出制御手段は、前記カードを強制排出すると同時に、前記報知手段からカードの存在情報を報知する制御を実行するのである。
【００２３】
かかる構成とすれば、遊技者が遊技を終了させてパチンコ機から離れようとする際に強制的に排出させた前記カードに気づかない場合が生じても、その遊技者は、前記報知手段を介してカードの存在を知ることができるので、前記カードの抜き忘れを確実に防止することができ、実用性がより高まる。
【００２４】
また、本実施形態に係る遊技媒体貸出装置におけるカード忘れ防止システムにおいて、前記遊技者検出手段を、前記遊技機に付設した座席に設けた重量センサとすることができる。
【００２５】
すなわち、座席に設けた重量センサを介して、座席に着座した遊技者の体重を検出させることで、着座した遊技者の存在を確実に検出できるとともに、遊技者が前記座席から離席した場合には、遊技者の体重が検出されないことになるので、遊技者の検出がない状態を確実に捉えることができる。
【００２６】
以下、本発明に好適な実施形態の一例を、図面に基づいてより具体的に説明する。図１は遊技媒体貸出装置を備える遊技場の内部を模式的に示す概略説明図である。図２は遊技者が遊技機の前で遊技している様子を説明する概略説明図である。
【００２７】
図１に示すように、遊技場４００には、細長い遊技機設置台に複数の遊技機を配設した所謂遊技島４１０，４１１と呼ばれる細長い遊技設備が複数台配置されている。例えば、一の遊技島４１１には、前記遊技機設置台の両面にパチンコ機１００が複数台設置されるとともに、それぞれのパチンコ機１００の間に、遊技媒体である遊技球等の貸し出しを行う遊技媒体貸出装置１２０が配置され、さらに、図１では省略したが、それぞれのパチンコ機１００に前側には、図２に示すように、遊技者が着座するための座席３が各パチンコ機１００に対応して付設されている。
【００２８】
また、他の遊技島４１０には、前記遊技機設置台の両面にパチスロ機１１０が複数台設置されるとともに、それぞれのパチスロ機１１０の間に、これも遊技媒体であるメダルの貸し出しを行う遊技媒体貸出装置１４０が配置されている。また、パチンコ機１００と同様に、遊技者が着座するための座席３が、それぞれのパチスロ機１１０の前側に付設されている。なお、以下、パチンコ機１００とパチスロ機１１０とを総称して遊技機と記載することがある。
【００２９】
そして、遊技者は前記遊技島４１０，４１１の遊技機の中から所望する遊技機（パチンコ機１００又はパチスロ機１１０）を選択し、図２に示すように、選択した遊技機（パチンコ機）に対面しつつ前記座席３に着座した状態で当該遊技機を操作しながら遊技を行う。また、遊技者は、前記座席に着座したままの状態でも前記遊技媒体貸出装置１２０，１４０から遊技球やメダルの貸し出しを受けることができる。また、図示するように、例えば前記遊技島４１０，４１１の端には遊技媒体借受用カード等のカードの販売機４１２を設置している。
【００３０】
また、図示するように、それぞれの遊技機及び遊技媒体貸出装置１２０，１４０は制御回路を搭載した制御基板（図示せず）などを備えており、前記遊技島４１０，４１１ごとに設けられた中継器４３０を介して通信回線２８０により、ホストコンピュータ４２０に接続されている。前記ホストコンピュータ４２０は、管理用サーバとして機能し、例えば、遊技機のゲーム進行状況を把握するために必要なプログラムやデータが記憶された記憶媒体などを備えている。４２１はホストコンピュータ４２０のモニタである。
【００３１】
以下、説明の便宜上、カード忘れ防止システムを、パチンコ機用のカード忘れ防止システムを例にとって具体的に説明する。
【００３２】
本実施形態のカード忘れ防止システムについて、図３及び図５に基づいて説明する。図３はパチンコ機１００及び遊技媒体貸出装置１２０の正面視による説明図、図４は遊技媒体貸出装置１２０の概観を示す斜視図、図５は本実施形態におけるカード忘れ防止システムの回路構成の例を説明するブロック図である。
【００３３】
本実施形態のカード忘れ防止システムは、カード挿入口１６０と、遊技媒体を供給する制御を実行する貸出制御手段３０２（図５）とを備えた遊技媒体貸出装置１２０と、上述したパチンコ機１００で遊技する遊技者の存在を検出する遊技者検出手段３２０（図５）とを備えて構成される。
【００３４】
前記遊技媒体貸出装置１２０は、上述したように、遊技場４００に複数設置されたパチンコ機１００の間に設置され、当該遊技媒体貸出装置１２０に遊技者が紙幣あるいは硬貨を投入したり、前記遊技媒体借受用カード等の記録媒体の情報を読み取らせたりすることにより、遊技球の貸し出しを受けることができる。
【００３５】
本実施形態の遊技媒体貸出装置１２０は、図３及び図４に示すように、全体が縦長直方体状に形成されるとともに、隣り合うパチンコ機１００の間でパチンコ機１００に隣接配置されている。
【００３６】
そして、図示するように、前記遊技媒体貸出装置１２０はその正面側に、紙幣を挿入するための紙幣挿入口１５５ａ、硬貨を投入するための硬貨投入口１５７ａ、おつり等の硬貨を返却する硬貨返却口１５９、遊技媒体借受用のカードを受け付けるためのカード挿入口１６０、文字表示などが行える表示部１６９、及び遊技媒体払出スイッチ２ｂ並びにこれも後述するカード排出スイッチ２ｃを備えている。
【００３７】
また、図３及び図４に示すように、前記遊技媒体貸出装置１２０の上端部にはエラー表示などを行う表示ランプ１５３を設けるとともに、カード挿入口１６０の周りには警告ランプ１５４を設けている。なお、図４に示した１５５は紙幣挿入口１５５ａから挿入された紙幣の有効性を識別するとともに紙幣をストックする紙幣識別装置である。
【００３８】
ここで、前記遊技媒体借受用のカードは、例えばプリペイドカード等のように、金額に応じた価値度数を記録するための情報媒体であり、公知の薄い平板状のＩＣカード或いは磁気カードなどで構成することができる。
【００３９】
カード挿入口１６０から挿入される遊技媒体借受用のカードに記録された情報は、リーダ部２により読み取ることができ、前記遊技媒体借受用のカードの種類に応じた公知のカードリーダで構成することができる。すなわち、前記遊技媒体借受用のカードを、前記カード挿入口１６０に挿入させれば、前記リーダ部２は、前記カードに記録された価値度数を読み取って、その読み取った価値度数情報を価値度数信号Ｓｉｇ５（図５参照）として出力する。
【００４０】
また、リーダ部２は、カード自動排出機構２ｈ（図５参照）を備えている。当該カード自動排出機構２ｈは、後述するように、所定の信号を受けて、前記リーダ部２に受付中のカードを自動でカード挿入口１６０から排出させることができる。なお、受付中のカードを強制排出する場合、例えば、前記カード挿入口１６０とは別途に強制排出口を設け、この強制排出口から排出するようにしてもよい。かかる自動排出機構の具体的な構造は特に図示しないが、公知の電気的なアクチュエータ及びリンク機構等を利用して実現することができる。
【００４１】
なお、リーダ部２は、前記遊技媒体借受用のカードの価値度数を更新するために、前記カードに対する書込み機能を備えていてもよい。
【００４２】
次に、本実施形態において要部をなす貸出制御手段３０２について説明する。貸出制御手段３０２は、遊技媒体貸出装置１２０に内蔵された基板上に設けられており、前記カード挿入口１６０に挿入されたカードに記録された価値度数を上限として、所定の単位度数毎に遊技球を供給する制御を実行するとともに、後述する遊技者検出手段３２０による遊技者の検出がない場合、受付中のカードを前記カード挿入口１６０から強制的に排出する制御を実行する。
【００４３】
この貸出制御手段３０２は、図５に示すように、コントローラ３１２と、前記カードに記録された価値度数を上限度数として記憶する上限度数記憶装置３１８と、供給した遊技球数に相当する価値度数を供給度数として記憶する供給度数記憶装置３１９とを備えている。
【００４４】
前記コントローラ３１２は、図５に示すように、上述したリーダ部２、上限度数記憶装置３１８、供給度数記憶装置３１９、遊技媒体払出スイッチ２ｂ、カード排出スイッチ２ｃ、後述する遊技者検出手段３２０に電気的に接続されている。なお、上限度数記憶装置３１８及び供給度数記憶装置３１９は、後述するように価値度数情報を記憶させるためのものであり、本実施形態では、書き込み及び消去可能なＲＡＭなどのメモリを用いている。
【００４５】
また、前記コントローラ３１２は、ＣＰＵを備えており、前記リーダ部２で読取った価値度数を上限度数として上限度数記憶装置３１８に記録させるとともに、供給した遊技球数を供給度数として供給度数記憶装置３１９に記録させる記録手段としての機能と、前記上限度数を上限として、所定の単位度数毎に遊技に用いられる遊技球を供給する制御を実行する貸し球制御手段としての機能と、後述する遊技者検出手段３２０による遊技者の検出がない場合、受付中の遊技媒体借受用のカードを前記カード挿入口１６０から強制的に排出する制御を実行するカード強制排出制御手段としての機能とを有している。
【００４６】
すなわちコントローラ３１２は、記録手段として機能し、前記リーダ部２からの価値度数信号Ｓｉｇ５を受けて前記遊技媒体借受用のカードに記録された価値度数を、上限度数として前記上限度数記憶装置３１８に記録する。また、コントローラ３１２は、記録手段として機能し、後述する貸し球制御信号Ｓｉｇ３を出力する毎に、所定の単位度数を前記供給度数記憶装置３１９のメモリに加算して記録する。したがって、前記供給度数記憶装置３１９には、借り受けた遊技球の累積された価値度数が供給度数として記憶される。
【００４７】
また、コントローラ３１２は、貸し球制御手段として機能し、後述する遊技媒体払出スイッチ２ｂからの払出信号Ｓｉｇ２を受けて、パチンコ機１００に設けられた払出回路１２６に対して貸し球制御信号Ｓｉｇ３を出力する。なお、前記払出回路１２６は、貸し球制御信号Ｓｉｇ３を受けてパチンコ機１００から所定の単位度数毎に遊技球を供給する制御を実行する。
【００４８】
ここで、遊技媒体払出スイッチ２ｂは、遊技媒体貸出装置１２０が、所定の単位度数毎に遊技に用いられる遊技媒体を供給するためのものであり、遊技者が所定の操作を行う毎に、払出信号Ｓｉｇ２をコントローラ３１２に出力する。
【００４９】
すなわち、遊技者は、前記遊技媒体払出スイッチ２ｂの操作をすることで、所定の単位度数毎に遊技球数の貸出しを受けることができる。例えば、１度数と等価な遊技球の貸出し数が２５個である場合に、１回の前記遊技媒体払出スイッチ２ｂの操作で貸し出しを受けることができる所定の単位度数を５度数とすれば、遊技者は、前記遊技媒体払出スイッチ２ｂを一回操作することで５度数×２５個＝１２５個の遊技球の貸出しを受けることができ、Ｎ回操作することで、Ｎ×１２５個の遊技球の貸出しを受けることができるのである。
【００５０】
その際、コントローラ３１２は、前記上限度数記憶装置３１８に記録された上限度数と、前記供給度数記憶装置３１９に記録された供給度数とを照合して、供給度数が上限度数未満であれば前記貸し球制御信号Ｓｉｇ３を出力し、供給度数が上限度数以上になれば前記貸し球制御信号Ｓｉｇ３を出力しない。そうすることで、コントローラ３１２は、前記カードに記録された価値度数を上限として遊技球を供給する制御を行う。
【００５１】
また、コントローラ３１２は、カード強制排出制御手段として機能し、後述する遊技者検出手段３２０から出力される遊技者検出信号Ｓｉｇ１がＨｉｇｈレベルからＬｏｗレベルになったことを受けて、上述したカード自動排出機構２ｈにカード排出信号Ｓｉｇ６を出力する。そして、カード自動排出機構２ｈは、カード排出信号Ｓｉｇ６を受けて、受付中の遊技媒体借受用のカードをカード挿入口１６０から強制的に排出する。
【００５２】
次に、遊技者検出手段３２０について、図２及び図５を用いて説明する。
【００５３】
遊技者検出手段３２０は、パチンコ機１００で遊技する遊技者の存在を検出するものであり、本実施形態の遊技者検出手段３２０は、図２に示すように、パチンコ機１００に付設した座席３に内蔵した重量センサ３ａを備えている。なお、重量センサ３ａは、例えば公知の力感知抵抗素子等を用いることができる。したがって、遊技者が座席３に着座すれば、重量センサ３ａが着座した遊技者の重量を検出する。
【００５４】
そして、遊技者検出手段３２０は、前記重量センサ３ａに加え、この重量センサ３ａが検出した重量値が所定の閾値を上回ったときはＨｉｇｈレベルとなり、重量センサ３ａが検出する重量値が所定の閾値を下回ったときはＬｏｗレベルとなる遊技者検出信号Ｓｉｇ１を出力する信号出力手段（図示せず）を備えて構成される。
【００５５】
すなわち、前記遊技者検出手段３２０は、遊技者検出信号Ｓｉｇ１がＨｉｇｈレベルの場合は、遊技者の存在を検出していることを意味し、逆に遊技者検出信号Ｓｉｇ１がＬｏｗレベルの場合は、遊技者の存在を検出しないことを意味するように構成されている。
【００５６】
なお、遊技者検出手段３２０としては、本実施形態の重量センサ３ａに限らず、遊技者の存在を検出できるものであれば、例えば赤外線センサ、ＣＣＤカメラの画像処理によるもの等を備えた構成としてもよい。
【００５７】
また、コントローラ３１２は、上述したカード強制排出制御手段とは別個に、図５に示すように、カード排出スイッチ２ｃからの排出指示信号Ｓｉｇ７を受けて、前記カード自動排出機構２ｈにカード排出信号Ｓｉｇ６を出力する。ここで、カード排出スイッチ２ｃは、遊技者が操作をすることで、リーダ部２に挿入されたカードを取り出すためのものであり、遊技者が操作をすることで排出指示信号Ｓｉｇ７を出力する。なお、カード排出スイッチ２ｃは、図３及び図４に示すように、前記遊技媒体払出スイッチ２ｂの横隣接位置に設けられている。
【００５８】
本実施形態のカード忘れ防止システムは、さらに、視覚的や聴覚的に所定の情報を報知する報知手段３２６（図５参照）を備えている。報知手段３２６は、カード強制排出制御手段が機能した際に、カード挿入口１６０から排出されたカードの存在を報知するためのものである。図６は、前記報知手段３２６によって視覚的に所定の情報を報知する様子を説明するための模式図である。
【００５９】
本実施形態における報知手段３２６は、パチンコ機１００に設けられ、遊技に関する演出画像等を表示する表示する液晶表示装置３２及び遊技進行に伴い効果音や音楽を出力するスピーカ４６Ｌ，４６Ｒと（図３参照）、遊技媒体貸出装置１２０に設けられた警告ランプ１５４（図３及び図４参照）とが用いられており、図６に示すように、液晶表示装置３２により、例えば「カードを取って下さい」等の文字を点滅表示させて視覚的に前記カードの存在を報知するとともに、前記警告ランプ１５４を点滅させて、視覚的に前記カードの存在を報知し、さらに、スピーカ４６Ｌ，４６Ｒから警告音声を出力するようにしている。なお、報知手段３２６としては、液晶表示装置３２、スピーカ４６Ｌ，４６Ｒ、及び警告ランプ１５４のいずれか一方のみを用いるようにしてもよいし、適宜組合せて用いることがもできる。また、例えば、遊技媒体貸出装置１２０の上部に設けた表示ランプ１５３（図３及び図４参照）をさらに利用することもできる。
【００６０】
また、本実施形態では、図５に示すように、上述した液晶表示装置３２、スピーカ４６Ｌ，４６Ｒ、及び警告ランプ１５４により構成される報知手段３２６と前記コントローラ３１２とを電気的に接続して、このコントローラ３１２が前記受付中のカードを強制排出すると同時に、前記報知手段からカードの存在情報を報知する制御を実行する報知制御手段として機能する構成としている。
【００６１】
すなわち、上述したコントローラ３１２は、前記遊技者検出手段３２０から出力される遊技者検出信号Ｓｉｇ１がＨｉｇｈレベルからＬｏｗレベルになったことを受けて、前記カード自動排出機構２ｈにカード排出信号Ｓｉｇ６を出力すると同時に、上述した報知手段３２６に報知信号Ｓｉｇ４（図５参照）を出力するのである。
【００６２】
以上のように構築されたカード抜き忘れ防止システムの動作を含む遊技媒体貸出装置１２０の動作例について、説明する。
【００６３】
まず、遊技者が、パチンコ機１００に付設された座席３に着座すると（図２参照）、前記座席３に設けた重量センサ３ａが着座した遊技者の重量値を検出し、検出した重量値が前記所定の閾値を上回ると、遊技者検出手段３２０は、Ｈｉｇｈレベルの遊技者検出信号Ｓｉｇ１を出力する（図５参照）。
【００６４】
次に、遊技者が遊技媒体借受用のカードを上述したカード挿入口１６０に挿入すると、前記リーダ部２は、前記カードに記録された価値度数を読み取り、価値度数信号Ｓｉｇ５を前記コントローラ３１２に出力する。本実施形態では、この価値度数信号Ｓｉｇ５がカード受付中であることを示すカード受付信号ともなる。
【００６５】
次に、コントローラ３１２は、前記価値度数信号Ｓｉｇ５を受けて、前記カードに記録された価値度数を上限度数として上述した上限度数記憶装置３１８に記録する。
【００６６】
次に、遊技者が、遊技媒体払出スイッチ２ｂを操作すると、前記遊技媒体払出スイッチ２ｂは、遊技者が操作する毎に払出信号Ｓｉｇ２をコントローラ３１２に出力する。そして、コントローラ３１２は、遊技媒体払出スイッチ２ｂから出力される払出信号Ｓｉｇ２毎に前記払出回路１２６に対して貸し球制御信号Ｓｉｇ３を出力する。
【００６７】
その際、コントローラ３１２は、前記上限度数記憶装置３１８に記録された上限度数と、前記供給度数記憶装置３１９に記録された供給度数とを照合して、供給度数が上限度数未満であれば前記貸し球制御信号Ｓｉｇ３を出力し、供給度数が上限度数以上になれば前記貸し球制御信号Ｓｉｇ３を出力しない。
【００６８】
そして、コントローラ３１２は、前記貸し球制御信号Ｓｉｇ３が出力されると、所定の単位度数を前記供給度数記憶装置３１９のメモリに加算して記録する。
【００６９】
このようにして、貸出制御手段は、前記カードに記録された価値度数を上限として、所定の単位度数毎に遊技に用いられる遊技媒体を供給する制御を実行する。
【００７０】
また、遊技者が遊技を終了する等で、遊技者がカード排出スイッチ２ｃを操作すると、コントローラ３１２は、カード排出スイッチ２ｃから出力される排出指示信号Ｓｉｇ７を受けて、カード自動排出機構２ｈにカード排出信号Ｓｉｇ６を出力する。これまでの処理が、遊技媒体貸出装置１２０におけるカード通常払出処理である。
【００７１】
次に、図７を参照して、カード抜き忘れ防止処理について説明する。
【００７２】
図示するように、コントローラ３１２は、カード受付中であるかを判断する（ステップＳ１００）。すなわち、カードがカード挿入口１６０に挿入され、リーダ部２から価値度数信号Ｓｉｇ５の入力があるか否かを判定する。ステップＳ１００において、カード受付中でないと判断されるとこの処理を終了する。
【００７３】
次に、コントローラ３１２は、重量センサ３ａからの遊技者検出信号がＬｏｗレベルであるか否かを判定する（ステップＳ１０１）。すなわち、遊技者が遊技を終了する等で着座した座席３を立つと、重量センサ３ａが検出する重量値は前記所定の閾値を下回るので、前記遊技者検出手段３２０は、Ｌｏｗレベルの遊技者検出信号Ｓｉｇ１を出力する。コントローラ３１２は、Ｌｏｗレベルの遊技者検出信号Ｓｉｇ１を入力すると、処理をステップＳ１０３に移す一方、遊技者検出信号Ｓｉｇ１がＨｉｇｈレベルのままであれば、処理をステップＳ１０２に移し、上述したカード通常払出処理を実行して終了する。
【００７４】
ステップＳ１０３では、コントローラ３１２は、前記遊技者検出信号Ｓｉｇ１が、ＨｉｇｈレベルからＬｏｗレベルになったことを受けて、上述したカード自動排出機構２ｈにカード排出信号Ｓｉｇ６を出力してカードを強制的にカード挿入口１６０から排出するカード強制払出処理を実行する。また、この処理の後、報知手段３２６に報知信号Ｓｉｇ４を出力して、カード強制払出報知処理を実行する（ステップＳ１０４）。すなわち、この処理により、図６に示すように、液晶表示装置３２及び警告ランプ１５４による視覚的な報知や、スピーカ４６Ｌ，４６Ｒによる聴覚的報知がなされる。
【００７５】
このようにして、本実施形態における遊技媒体貸出装置１２０の貸出制御手段３０２は、遊技者検出手段３２０による遊技者の検出がない場合、受付中のカードを前記カード挿入口１６０から強制的に排出する制御を実行すると同時に、前記報知手段３２６から前記カードの存在情報を報知する制御を実行することになる。
【００７６】
また、コントローラ３１２は、図５に示すように、ホストコンピュータ４２０に接続されており、前記報知信号Ｓｉｇ４を前記ホストコンピュータ４２０に出力するように構成してもよい。そうすることで、ホストコンピュータ４２０でも、カードの取り忘れがあることを把握できる。
【００７７】
ここで、本実施形態に係る遊技媒体貸出装置１２０によって遊技球の供給を受けるパチンコ機１００の概観について図３を用いて簡単に説明する
図３に示すように、パチンコ機１００は、内部に、遊技盤１４及び液晶表示装置３２を含む各種の部品を収容可能とした筐体と、この筐体の前方に開閉自在に軸着されるとともに、上部にスピーカ４６Ｒ，４６Ｒを配設し、略中央部には遊技盤１４に形成された遊技領域を保護する透明なガラス板１９を備えた扉１１とから構成されている。
【００７８】
また、筐体前面には、前記遊技媒体貸出装置１２０から供給される遊技球や、遊技球の入賞により払い出された賞球を貯留するための上皿２０と、この上皿２０と連通し、上皿２０の許容量を超えた遊技球を受けることのできる下皿２２とが設けられている。そして、この下皿２２の右側方に、遊技球を遊技盤１４に発射するための発射ハンドル２６等が配設されている。
【００７９】
遊技盤１４は、その全部が透光性を有する板形状の樹脂(透過性を有する部材)によって形成されている。この透光性を有する部材としては、例えば、アクリル樹脂、ポリカーボネート樹脂、メタクリル樹脂など各種の材質が該当する。
【００８０】
また、遊技盤１４の前面側に形成され、発射ハンドル２６の操作により発射された遊技球が転動可能な遊技領域１５は、ガイドレール３０に囲まれ、遊技球が転動可能な領域として区画されており、図３においては省略したが、この遊技領域１５には複数の障害釘が打ちこまれている。
【００８１】
さらに、
遊技に関する演出画像を表示する液晶表示装置３２は、透光性を有する前記遊技盤１４の背後に設けられており、遊技に関する画像の表示を可能とする表示領域３２ａを有している。この表示領域３２ａには演出用の演出画像、装飾用の装飾画像等、各種の画像を表示することができる。このように、液晶表示装置３２は、透明な遊技盤１４の遊技領域１５あるいは遊技盤１４全体を透して、広い領域を用いたダイナミックな画像表示が可能となっているため、前述したように、カード忘れ防止処理における報知手段３２６の一として有効に機能させることができる。
【００８２】
図３中、５３は、遊技進行に関する様々な情報を文字表示したり、ランプなどにより発光表示する電飾ユニットである。
【００８３】
以上説明してきたように、本実施形態によるカード忘れ防止システムによれば、遊技媒体貸出装置１２０にカードが投入されている状態で遊技者の不在を検出した場合、遊技媒体貸出装置１２０に投入されたカードをカード挿入口１６０から強制的に排出できると同時に、前記排出されたカードの存在を報知するようにしているで、カードの抜き忘れを可及的に防止できる。
【００８４】
なお、カード忘れ防止システムとして、パチンコ機１００用の遊技媒体貸出装置１２０を主に説明してきたが、パチスロ機１１０用の遊技媒体貸出装置１４０についても本システムが適用されていることは言うまでもない。
【００８５】
以上、本発明の実施形態のうちのいくつかを図面に基づいて詳細に説明したが、これらはあくまでも例示であり、当業者の知識に基づいて種々の変形、改良を施した他の形態で本発明を実施することが可能である。
【００８６】
また、遊技媒体貸出装置としてはパチンコ機やパチスロ機の遊技媒体貸出装置に限定されるものではなく、遊技に供される遊技媒体の貸出装置であれば全て含まれる。
【図面の簡単な説明】
【００８７】
【図１】本実施形態に係るカード忘れ防止システムが実施される遊技場の内部を模式的に示す概略説明図である。
【図２】遊技機の前で遊技している様子を説明する概略説明図である。
【図３】本実施形態における遊技媒体貸出装置及びパチンコ機の正面図である
【図４】本実施形態における遊技媒体貸出装置の概観を示す斜視図である。
【図５】本実施形態に係るカード忘れ防止システムの回路構成の例を説明するブロック図である。
【図６】本実施形態におけるカード忘れ防止システムにおける作動状態の説明図である。
【図７】同カード忘れ防止システムにおいて実行される制御を示すフローチャートである。
【符号の説明】
【００８８】
２    リーダ部
２ｄ    カード挿入口
２ｈ    カード自動排出装置
３      座席
３ａ    重量センサ
１００，１１０    遊技機
１２０，１４０    遊技媒体貸出装置
３０２    貸出制御手段
３１２    コントローラ
３２０    遊技者検出手段
３２６    報知手段
【図１】
2008080013.tif 000003
【図２】
2008080013.tif 000004
【図３】
2008080013.tif 000005
【図４】
2008080013.tif 000006
【図５】
2008080013.tif 000007
【図６】
2008080013.tif 000008
【図７】
2008080013.tif 000009